(57)【特許請求の範囲】
【請求項１】
券紙格納部と、この券紙格納部から脱着可能な券紙格納箱と、磁気エンコード書き込み部、読み取り部と、印字部と、各ユニット間を経由する券紙搬送部と、これらを制御する制御装置部とを具備する自動発券装置において、前記券紙格納箱の券紙操出部にギヤの回転と同期して回転するストッパと、ストッパの回転を阻止するスライダを設け、かつ券紙格納部にラックを有するキーブロックを設け、券紙格納部に券紙格納箱を装着時、前記キーブロックの先端でスライダを押し込むと共に前記ラックで前記ギヤを回転させることを特徴とする自動発券装置の券紙格納箱。
【発明の詳細な説明】
【０００１】
【発明の属する技術分野】
本発明は券紙格納部、磁気エンコーダ書き込み部、読み取り部及び印字部を有し、各ユニット間を経由する券紙搬送部に券紙を投入して発券する自動発券装置に関するもので、券紙補充時、自動発券装置より脱着すると密閉構造となる券紙格納箱に関するものである。
【０００２】
【従来の技術】
従来、自動発券装置には券紙補充時、自動発券装置より脱着できる券紙格納箱が備えられている。そして、この券紙は通常、券紙管理者の監督のもと補充される。
券紙を補充した券紙格納箱は、自動発券装置に装着後、鍵をかけることにより管理者以外引き出せないようになっている。
【０００３】
【発明が解決しようとする課題】
しかしながら、従来の自動発券装置には次のような欠点があった。
券紙補充時、自動発券装置より脱着した券紙格納箱は、自動発券装置に装着時、発券指令により券紙搬送経路に券紙を投入するための券紙繰出用ローラとの接触部の切欠部と券紙幅の出口（後述する図２のＡ部）が存在する。
この切欠部と券紙幅の出口を介して残券を容易に取り出すことができる構造となっている。このことは乗車券・定期券・プリペイドカード等の券紙は金券であり、偽造券・変造券による不正が発生する可能性が十分ある。
特に近年、自動発券装置が普及し、券紙管理者が不在の場所に設置されるようになると、券紙管理者と自動発券装置のオペレータ間で券紙格納箱を宅配便等で往復させる必要が生じてきた。
本発明は上述した点に鑑みて創案されたもので、その目的とするところは、これら欠点を解決するために、券紙補充時、自動発券装置より券紙格納箱を引き出すと密閉構造となって残券を容易に取り出すことが出来ない自動発券装置の券紙格納箱を提供することにある。
【０００４】
【課題を解決するための手段】
つまり、その目的を達成するための手段は、券紙格納部と、券紙格納部から脱着可能な券紙格納箱と、磁気エンコード書き込み部、読み取り部と、印字部と、各ユニットを経由する券紙搬送部と、これらを制御する制御装置部とを具備する自動発券装置において、前記券紙格納箱の券紙繰出し部にギヤの回転と同期して回転するストッパと、ストッパの回転を阻止するスライダを設け、かつ券紙格納部に、券紙格納箱を装着時、その先端でスライダを押し込んだ後、ギヤを回転させるラックを有するキーブロックを設けて構成したものである。
【０００５】
その作用は、図４に示す如く、券紙格納箱３が券紙格納部２に装着されている状態では、券紙格納部２のキーブロック１６が券紙格納箱３のスライダ１１を押し込むと共に、スプリング１２を圧縮する状態となり、またこれに連動してギヤ１０を回転することによりストッパ９が開状態となり、券紙繰出用ローラ４により券紙１を繰出すことが可能である。
また、券紙格納箱３を券紙格納部２から引き出す場合は、図５に示す如く、券紙を補充するために券紙格納箱３を引き出すと、キーブロック１６がギヤ１０を逆回転することにより、ストッパ９が閉状態となり、かつスプリング１２の伸張によりスライダ１１がストッパ９の回転中心よりせり出すことによりストッパ９が開状態になることを阻止する。
【０００６】
以下、本発明の一実施例を図面に基いて説明する。
【発明の実施の形態】
図１は本発明に係わる自動発券装置の全体像を説明するための側面図を示す。
図２および図３、図４、図５は本発明の一実施例を示す券紙格納箱の斜視図、上面図、側面図および券紙格納部への装着した状態の側面図である。
１は券紙、２は券紙格納部、３は券紙格納部から脱着可能な券紙格納箱、４は券紙繰出用ローラ、５は磁気エンコード書き込み部、６は磁気エンコード読み取り部、７は印字部、８は各ユニットを経由する券紙搬送部、９はストッパ、１０はギヤ、１１はスライダ、１２はスプリング、１３はベース、１４は鍵、１５は取手、１６はキーブロックである。
図示されてはいないが、券紙格納箱３内の券紙１の下部にはバネ機構があり、券紙格納部２へ装着状態では券紙１は常に券紙繰出用ローラ４に密着している。
【０００７】
以下、その構造を図１〜５を参照して説明する。
図１に示すように、自動発券装置は、券紙格納部２と、この券紙格納部２から脱着可能な券紙格納箱３と、券紙１に書き込む磁気エンコード書き込み部５と、これを読み取る読み取り部６と、印字する印字部７と、各ユニットを経由する券紙搬送部８と、これらを制御する制御装置部（図示せず）とを具備したものである。
図２〜５において、券紙格納箱３のストッパ９はベース１３の軸穴を介してギヤ１０と連結しており、ギヤ１０の回転と同期して回転する。スライダ１１はスプリング１２によりストッパ９の回転中心よりもせり出すことにより、ストッパ９の回転を阻止しており、券紙１を券紙格納箱３から取り出せない構造となっている。
【０００８】
これらの部品は券紙格納箱３のカバー内に有し、外部からは見えない構造になっている。
券紙格納部２には、キーブロック１６があり、券紙格納箱３を装着しはじめるとまずキーブロック１６の先端部はスライダ１１を、ストッパ９の回転中心よりも押し込み、その後キーブロック１６のラック部１７がギヤ１０とかみ合いながらストッパ９を回転させ、券紙１は券紙格納箱３より繰出し可能となる。
券紙格納箱３を券紙格納２より脱着する場合は、上記と逆の動作によりストッパ９が締まり、券紙１が券紙格納箱３から取り出せない構造となる。
上記のような機能を多数組合わせることにより密閉性はより強固となる。
【０００９】
【発明の効果】
以上説明したように本発明では、券格納箱を脱着する際、キーブロックによりストッパを閉状態にし、かつスプリングによりスライダがストッパの回転中心よりせり出すことによりストッパが開状態になることを阻止することができ、これがために、券紙補充時、自動発券装置より券紙格納箱を引き出すと密閉構造となって残券を容易に取り出すことが出来ないので、偽造券・変造券による不正使用がなくなり、実用上、極めて有用性の高いものである。
【図面の簡単な説明】
【図１】図１は本発明に係わる自動発券装置の全体像を説明するための側面図である。
【図２】図２は本発明の一実施例を示す券紙格納箱の斜視図である。
【図３】図３は本発明の一実施例を示す巻紙格納部及び巻紙格納部の上面図である。
【図４】図４は巻紙格納箱を巻紙格納部へ装着した状態を示す側面図である
【図５】図５は  巻紙格納箱を巻紙格納部へ装着する前の状態を示す。
【符号の説明】
１      券紙
２      券紙格納部
３      券紙格納箱
４      券紙繰出用ローラ
５      磁気エンコード書き込み部
６      読み取り部
７      印字部
８      券紙搬送部
９      ストッパ
１０    ギヤ
１１    スライダ
１２    スプリング
１３    ベース
１４    鍵
１５    取手
１６    キーブロック
１７ ラック部
【図１】
0003942130.tif 000002
【図２】
0003942130.tif 000003
【図３】
0003942130.tif 000004
【図４】
0003942130.tif 000005
【図５】
0003942130.tif 000006